(57)【要約】【課題】  お守り入れ袋の内部を視覚的に容易に確認することができるお守り袋を提供する。【解決手段】  お守り袋１０の袋体１の表面あるいは裏面に単独で、あるいは複合した状態で図柄や模様３、あるいは文字２を表出させるとともに、袋体１の一部にメッシュ部９を設けるよう織物地を織り上げる。このメッシュ部９における織物の編地密度が、袋体１の他の部分よりも粗く織られているため、お守り袋１９の内容物であるお守りを直ちに認識できる。【選択図】        図１
2007068617.tif 000002
【特許請求の範囲】
【請求項１】
部分的にメッシュ状の隙間を持つ織物によって袋体に構成されていることを特徴とするお守り袋。
【請求項２】
前記メッシュ状の隙間は、織物地の一部の編地密度を他の部分よりも粗く織ることで形成されることを特徴とする請求項１記載のお守り袋。
【請求項３】
前記メッシュ状の隙間は、織物に溶融や打ち抜き等の機械的な方法により貫通された複数の孔であることを特徴とする請求項１記載のお守り袋。
【請求項４】
前記メッシュ状の隙間が、前記袋体の表面または裏面、あるいは表面と裏面に形成されていることを特徴とする請求項１乃至３のいずれかに記載のお守り袋。
【請求項５】
前記メッシュ状の隙間は、前記袋体の内容物の有無を外部から視認できる程度の大きさを有することを特徴とする請求項４記載のお守り袋。
【請求項６】
さらに、前記袋体の表面または裏面、あるいは表面と裏面に図柄、模様、文字および地模様が単独で、または複合した状態で表出されていることを特徴とする請求項４記載のお守り袋。
【請求項７】
前記メッシュ状の隙間、図柄、模様、および文字が一定間隔に連続して形成表出されるように織られた前記織物を一定間隔で裁断し、その裁断で得られた織物片を縫合して袋体に構成したことを特徴とする請求項６記載のお守り袋。
【請求項８】
内部にお守り体を入れて、全体が織物地によって覆われて形成されるお守り袋であって、部分的にメッシュ状の隙間を持つ織物によって構成された袋体を使用することにより、その袋体に内包された前記お守り体を外部から視認できるように構成されたことを特徴とするお守り袋。
【発明の詳細な説明】
【技術分野】
【０００１】
本発明は、お守りを入れるためのお守り袋に関し、特に所定の織物地により構成されるお守り袋に関するものである。
【背景技術】
【０００２】
一般的にお守り袋は、織物地等によって構成される袋体と、その中に入れるお守りが外へ出ないようにするとともに、お守り入れ袋そのものを吊り下げることができるようにするため、袋体の開口上端部近くに設けた紐とによって構成される。また、お守り袋には、縦糸と緯糸によって、通常、中のお守りが外からは見えない程度に打ち込んで織られた織物地を使用している。
【０００３】
その一方、お守りが外から見えるようにするため、内部に厚紙あるいは板材を入れ、表部を色紙等で包んで板状体にし、その板状体の下部に織物地で袋部を設け、かつ上部にも織物地を付着させて飾りとし、それらの織物地の端をもう１枚の板状体で接着して固定形成し、袋部にお守りを入れることができるようにお守り入れケースがある。さらに、円形状や台形状、あるいは方形状の厚紙や板材、その他の芯材の全体を織物で覆い、それら形状体の下部に織物地で袋部を設けて、その袋部にお守りを入れることができるようにしたものもある。
【発明の開示】
【発明が解決しようとする課題】
【０００４】
しかしながら、上記従来のお守り袋等は、その材料である紙や織物、その外観に表出された文字や模様を良好に視認できることを主体に構成されており、特に従来のお守り袋の場合、その中に入れられたお守りそのものを直ちに認識できる構造にはなっていない。また、お守り袋の表面にあしらった模様や色彩の美しさや豊かさを認識できても、お守り袋の内蔵物の存在が認識できないようでは、お守りを保持する者にとって不安感が増すことになり、運を呼び入れ、厄を追い払うといったご利益に与ることができないという問題がある。
【０００５】
特に、お守りを肌身離さず持つ習慣を有する者にとって、お守り袋に実際にお守りが入っているかどうかを確認するには、例えば、お守り袋の上端部に設けられた紐を解き、袋を開封してお守りの存在を目視する必要があるため、非常に煩わしい。このような煩わしさは、お守り袋をカバン類に吊り下げる等して持ち歩く者にとっても同様である。
【０００６】
本発明は、上述した課題に鑑みてなされたもので、その目的とするところは、お守り入れ袋の内部を視覚的に容易に目視、確認できるとともに、お守り入れ袋の表部に表出した装飾等を楽しめるお守り袋を提供することである。
【課題を解決するための手段】
【０００７】
かかる目的を達成し、上述した課題を解決する一手段として、例えば、以下の構成を備える。すなわち、本発明に係る守り袋は、部分的にメッシュ状の隙間を持つ織物によって袋体に構成されていることを特徴とする。
【０００８】
例えば、上記メッシュ状の隙間は、織物地の一部の編地密度を他の部分よりも粗く織ることで形成されることを特徴とする。また、例えば、上記メッシュ状の隙間は、織物に溶融や打ち抜き等の機械的な方法により貫通された複数の孔であることを特徴とする。
【０００９】
例えば、上記メッシュ状の隙間が、上記袋体の表面または裏面、あるいは表面と裏面に形成されていることを特徴とする。また、例えば、上記メッシュ状の隙間は、上記袋体の内容物の有無を外部から視認できる程度の大きさを有することを特徴とする。
【００１０】
例えば、さらに、上記袋体の表面または裏面、あるいは表面と裏面に図柄、模様、文字および地模様が単独で、または複合した状態で表出されていることを特徴とする。
【００１１】
例えば、上記メッシュ状の隙間、図柄、模様、および文字が一定間隔に連続して形成表出されるように織られた上記織物を一定間隔で裁断し、その裁断で得られた織物片を縫合して袋体に構成したことを特徴とする。
【００１２】
上述した課題を解決する他の手段として、本発明は、内部にお守り体を入れて、全体が織物地によって覆われて形成されるお守り袋であって、部分的にメッシュ状の隙間を持つ織物によって構成された袋体を使用することにより、その袋体に内包された上記お守り体を外部から視認できるように構成されたことを特徴とする。
【発明の効果】
【００１３】
本発明によれば、お守り袋の内部が視認でき、同時に、お守り袋に表出した美しい模様や色彩も楽しめるお守り袋を提供することができる。
【発明を実施するための最良の形態】
【００１４】
以下、添付図面を参照して、本発明に係る実施の形態例を詳細に説明する。図１は、本実施の形態例に係るお守り袋（お守り入れ袋ともいう）の外観構成を示している。図１に示すお守り袋１０は、後述する工程により製造された織物地で構成される袋体１と、その袋体１の開口上端部近くに、中に入れるお守り（不図示）が容易に外へ出ないようにするとともに、お守り入れ袋を吊り下げることができるようにするための紐５とからなる。
【００１５】
図１に示すお守り袋１０は、織物表面（袋体１の表面あるいは裏面）に単独で、あるいは複合した状態で図柄や模様３、あるいは文字２を表出させるとともに、袋体１の一部にメッシュ部９を設けて織り上げた構成を有する。ここで、メッシュ部９とは、その部分の織物の編地密度が、他の部分よりも粗く織った部分であり、そのメッシュ部９を通じて、織物の反対側（裏側）に位置する物等を見通せる程度の粗さを有する。
【００１６】
なお、単独で織物表面に表出させるとは、例えば、単に図柄なら図柄のみを、織物表面に表出させることができるということであり、複合した状態とは、例えば、図柄と文字、あるいは模様と図柄および文字を同時に、織物表面に表出させることができるということである。
【００１７】
本実施の形態例に係るお守り袋の形状は、図１に示す長方形状の他、正方形状、台形状、巾着形状、あるいは円形状にも構成でき、その大きさも様々なものとすることができる。さらに、メッシュ部９についても、袋体１の表面あるいは裏面、または裏表両面の任意の位置に配することができ、その数も１つのみならず複数としたお守り入れ袋として構成することもできる。また、メッシュ部９の形状も矩形に限定されず、例えば、円形でも他の形状でもよい。図４は、お守り袋１０の袋体１の表面に２ヶ所のメッシュ部９ａ，９ｂを設けた例を示している。
【００１８】
模様や図柄３のうち、図柄として、例えば、山の図、花の図、動物の図、建物、あるいは人物図等、様々な図柄を表出できる。また、模様としては、例えば、花柄模様、同一形状の模様等を連続して表出することができる。これらの模様や図柄３は、あらかじめ様々な色彩で染められた繊維で織り上げることで、特定の部分を強調した模様等を表出できるとともに、それらを、お守り袋の一方側表面、あるいは両側表面に表出することもできる。その結果、模様や図柄３単独、また他の模様や文字等と複合した状態で表出させたもの等、種々のお守り袋を構成することができる。
【００１９】
文字２は、通常、お守り袋１０の表側に「御守」の文言の他、例えば、交通安全、家内安全、学業成就、合格、身体健全等の祈願用語で、お守り袋１０の中に入るお守りと同じような文字を表示し、お守り袋１０の裏面には、例えば、神社、仏閣の名称が表示される。これらの文字２についても、上述した模様や図柄３と同様、所定の色彩で染められた繊維で織り上げることで、特定部分を強調して表出することができる。
【００２０】
なお、文字２は、お守り袋１０の場合、通常、表と裏の二ヶ所に表出されるが、いずれか一方側面のみの場合もある。よって、お守り袋１０の一方側面、あるいは両側面において、単独あるいは複合的に文字部分が表出するように構成できる。
【００２１】
一方、お守り袋１０の地模様４は、お守り袋１０の織物を織る際に、例えば、楔形地模様や唐草地模様、縦縞地模様や横縞地模様等を形成したり、無地とすることができる。この地模様４についても、所定の色彩で染められた繊維で織り上げることで、他の模様や図柄３、あるいは文字２と複合的に表出するように構成できる。
【００２２】
このように、本実施の形態例に係るお守り袋は、袋体１の一部にメッシュ部９を設けて織り上げた構成を有するため、お守り袋に入れられたお守り（お守り体）を外部から直ちに認識できる。従って、メッシュ部９とともに、図柄や模様、あるいは文字を織物の表面に表出させることで、それらを視覚的に楽しむと同時に、お守り袋内のお守りを目視で確認できるお守り袋とすることができる。
【００２３】
次に、本実施の形態例に係るお守り袋に使用する織物地について説明する。お守り袋には、織物地として、例えば、ポリエステル等の合成繊維を縦糸と緯糸として平織や綾織等したもの、あるいは、綿織物や西陣織り（登録商標）等を使用する。そして、この織物地を織る際、所定箇所に網状の隙間を持つ部分を有する生地とすることで、その部分が上述したメッシュ部９となる。
【００２４】
メッシュ部９の疎密の度合い、つまり、メッシュ部における編地の密度（メッシュの粗さ）は、縦糸と緯糸の交差するマス目の大きさで決まる。本実施の形態例に係るお守り袋では、例えば、マス目の大きさを１インチあたり４０メッシュ〜６０メッシュとし、お守り袋の中のお守りが袋の外部から辛うじて見える程度に構成されている。
【００２５】
メッシュ部９に空隙を作るためには、メッシュ部９で糸が偏平に広がらないように、縦糸、緯糸ともに撚糸を使用することが好ましいとされる。ここでは、メッシュ部分について、通常の織物部分と比較して、単位寸法あたりの緯糸の本数を削減して空隙を構成する。例えば、すべての緯糸が同一の繊度である場合、メッシュ部で緯糸を数本以上、引き揃えて空隙を作る。あるいは、メッシュ部の緯糸を、通常の織物部分と比較して、細繊度の糸を使用して空隙を作る。さらには、メッシュ部のみ、緯糸の単位寸法あたりの打込数を減らして空隙を作ることも可能である。なお、これらの方法を組み合わせて空隙を作ってもよい。
【００２６】
次に、本実施の形態例に係るお守り袋の製造方法について簡単に説明する。本実施の形態例に係るお守り袋を構成する織物は、その表面の一部に単一または複数のメッシュ部を設けて織り上げた構成を有する。このようにメッシュ部を設けたり、図柄や模様、あるいは文字等を表出するため、例えば、これらの位置や形状、色彩等を定めた紋紙（意匠データともいう）をあらかじめ作成する。この紋紙からは、織物の織機に使用する型紙が作成される。
【００２７】
なお、お守り袋におけるメッシュ部の位置は、お守り袋内に入れられたお守りの存する位置におおよそ合わせるため、図１に示すように、お守り袋の中央部でもよいし、あるいは、お守りの存在が外部から確認できれば本来の目的を達成できるという観点から、お守り袋の中央部ではなく、中のお守りの一部がメッシュ部にかかる位置としてもよい（図４参照）。
【００２８】
型紙は、あらかじめ一定の模様や図柄、文字、およびメッシュ部が、一定間隔で繰り返して織られるように構成されている。そのため、これらの模様や図柄、文字、およびメッシュ部が繰り返し表出、形成するように織られた織物を一定間隔で裁断することで、各々の織物片が得られる。
【００２９】
上述した型紙を織物の織機の所定位置にセットすると、その織機に内蔵されたコンピュータ（マイクロプロセッサ）が、それらの図柄や模様、文字、およびメッシュ部等を読み込み、さらには、指定された色に応じて、その色の糸を繰り取る。その結果、目的とする図柄や模様、文字、およびメッシュ部が所定の糸で織り上げられることになる。
【００３０】
図２および図３は、メッシュ部、図柄や模様、あるいは文字が繰り返し表出するように織られた織物を示している。図２は、袋体の表面に配されたメッシュ部、袋体の表と裏それぞれに表出された図柄や模様等を縦方向に連ねて織ったときの織物を示し、図３は、袋体の表面に配されたメッシュ部、袋体の表と裏に表出された図柄や模様等が互いに横方向に連ねて織られたときの織物を示している。
【００３１】
ここでは、図２に示す織物２０、あるいは図３に示す織物３０を一定間隔で裁断し、裁断後の各々の織物片（図２において点線枠で示す織物片２３ａ〜２３ｊ、図３における織物片３３ａ〜３３ｆ）について、例えば、端部を折り曲げて縫合し、模様や図柄、あるいは文字が表面に表出し、かつ、所定箇所にメッシュ部が配されるように織物片を２つに折り曲げる。そして、その両側を縫合して袋体を構成する。なお、袋体の開口上端部近くには、通常、図１に示すように紐等を設けて、お守り袋を吊り下げることができるようにしている。
【００３２】
このように、本実施の形態例に係るお守り袋は、その袋表面に図柄や模様、文字とともにメッシュ部が形成されるように織り込まれた織物を使用する。そして、これらの図柄や模様、文字、メッシュ部は、お守り袋の一方の表面のみに、単独であるいは複合した状態で表出させることもできるし、お守り袋の両側表面に図柄や模様、文字、メッシュ部を同時に、単独であるいは複合した状態で表出させることもできる。これらは、上述した型紙に、あらかじめ織り込み情報を組み込むことによって可能となる。
【００３３】
なお、上述した例では、お守り袋を構成する織物を織り上げる段階で、その表面の一部にメッシュ部を設けるよう構成しているが、このようにして設けられたメッシュ部と同様の効果を奏することができれば、かかる構成（織上げによる配設方法）に限定されないことは言うまでもない。すなわち、お守り袋に入れられたお守りを外部から認識できるようにするという目的を達成するために、機械的な方法、例えば、織物に溶融やポンチによる打ち抜き等により穴（貫通孔）を空けてもよい。この場合、本発明の趣旨から、できる限り小径の穴とすることが好ましい。
【００３４】
以上説明したように、本実施の形態例によれば、織物地の一部がメッシュ構造となるように織り上げた織物をお守り袋に使用することで、そのメッシュ部分を介して、そのお守り袋に入れられたお守りを外部から直ちに認識できるため、お守り袋を保持する者がしばしば有することになる、お守りの在中の有無についての不安感が解消するという利点がある。同時に、保持者がお守り袋の内部を確認する際、紐等を解いて開封するといった煩わしさがなくなる。
【００３５】
また、お守り袋の表面に配したメッシュ部分が装飾的な効果をも有するため、メッシュ部分を単独で、あるいは、織物表面に図柄や模様、文字も表出させることで、これら図柄等とメッシュ部分とを一体として視覚的に楽しむことができ、見た目にも変化に富んだお守り袋とすることができる。
【図面の簡単な説明】
【００３６】
【図１】本発明の実施の形態例に係るお守り袋の外観構成を示す図である。
【図２】メッシュ部、図柄や模様、文字等が縦方向に繰り返し織り上げられた織物を示す図である。
【図３】メッシュ部、図柄や模様、文字等を横方向に繰り返し織り上げた織物を示す図である。
【図４】本発明の他の実施の形態例に係る（メッシュ部を２ヶ所設けた）お守り袋の外観構成を示す図である。
【符号の説明】
【００３７】
１    袋体
２    文字
３    図柄・模様
４    地模様
５    紐
９，９ａ，９ｂ    メッシュ部
１０    お守り袋
２０，３０    織物
２３ａ〜２３ｊ，３３ａ〜３３ｆ    織物片
【図１】
2007068617.tif 000003
【図２】
2007068617.tif 000004
【図３】
2007068617.tif 000005
【図４】
2007068617.tif 000006